(57)【要約】【課題】装着者が使い慣れたメガネに後付け可能で、遠赤外線と押圧作用により健康増進効果を発揮するメガネアタッチメントを提供する。【解決手段】メガネ２に後付け可能としたメガネアタッチメント１（１Ａ〜１Ｃ）であって、前記メガネの一部分に固着される台座１１と、装着者の皮膚に接触して押圧するように前記台座の表面１１ａ側から突出するように設けられ、等方性高密度炭素材からなる突部１２とを備えていることを特徴とする。【選択図】図１
2018180014.tif 000002
【特許請求の範囲】
【請求項１】
メガネに後付け可能としたメガネアタッチメントであって、
前記メガネの一部分に固着される台座と、
装着者の皮膚に接触して押圧するように前記台座の表面側から突出するように設けられ、等方性高密度炭素材からなる突部とを備えていることを特徴とするメガネアタッチメント。
【請求項２】
請求項１において、
前記台座は、炭素繊維強化炭素複合材料からなり、前記メガネの一部分に固着される取付面には接着層が設けられていることを特徴とするメガネアタッチメント。
【請求項３】
請求項１または請求項２において、
前記皮膚に接触する部位が、梨地状であることを特徴とするメガネアタッチメント。
【請求項４】
請求項１〜請求項３のいずれか１項において、
前記皮膚に接触する部位は、ダイヤモンド・ライク・カーボンでコーティングされていることを特徴とするメガネアタッチメント。
【請求項５】
請求項１〜請求項４のいずれか１項において、
前記メガネの一部分が鼻パッドであり、該鼻パッドに重ねて前記台座を取り付けることを特徴とするメガネアタッチメント。
【発明の詳細な説明】
【技術分野】
【０００１】
本発明は、既存のメガネに後付け可能としたメガネアタッチメントに関する。
【背景技術】
【０００２】
従来より、メガネを長時間装着する人の眼精疲労や装着ストレスを緩和するため、種々メガネが提案されている。
下記特許文献１には、円錐状のツボ刺激用突起が設けられたメガネフレームが開示されている。また下記特許文献２には、磁粉周囲に所要色彩の合成樹脂壁殻を形成したカプセル化磁粉を合成樹脂材料と混練してメガネ部品を形成したものが開示されている。
【先行技術文献】
【特許文献】
【０００３】
【特許文献１】実用新案登録第３１６１００１号公報
【特許文献２】特開２００４−２０５７２７号公報
【発明の概要】
【発明が解決しようとする課題】
【０００４】
しかしながら、これらはいずれも、装着者が使い慣れたメガネをカスタマイズできる構成のものではなかった。また、一部の部品を取り替えることで使い慣れた既存のメガネをカスタマイズできるものがあっても、専門的な技術や工具を要し、部品の取替え作業は手間がかかってしまう。
【０００５】
本発明は、このような事情を考慮して提案されたもので、その目的は、装着者が使い慣れたメガネに後付け可能で、遠赤外線と押圧作用により健康増進効果を発揮するメガネアタッチメントを提供することにある。
【課題を解決するための手段】
【０００６】
上記目的を達成するために、本発明のメガネアタッチメントは、メガネに後付け可能としたものであって、前記メガネの一部分に固着される台座と、装着者の皮膚に接触して押圧するように前記台座の表面側から突出するように設けられ、等方性高密度炭素材からなる突部とを備えている。
【０００７】
本発明に係るメガネアタッチメントは、前記台座は、炭素繊維強化炭素複合材料からなり、前記メガネの一部分に固着される取付面には接着層が設けられているものとしてもよい。
また本発明に係るメガネアタッチメントは、前記皮膚に接触する部位を梨地状としてもよい。
さらに本発明に係るメガネアタッチメントは、前記皮膚に接触する部位は、ダイヤモンド・ライク・カーボンでコーティングされているものとしてもよい。
そして本発明に係るメガネアタッチメントは、前記メガネの一部分が鼻パッドであり、該鼻パッドに重ねて前記台座を取り付けるようにしてもよい。
【発明の効果】
【０００８】
本発明のメガネアタッチメントによれば、上述の構成となっているため、装着者が使い慣れたメガネに後付け可能で、遠赤外線と押圧作用により健康増進効果を発揮することができる。
【図面の簡単な説明】
【０００９】
【図１】（ａ）は本発明の一実施形態に係るメガネアタッチメントを鼻パッド（鼻あて）に適用した例を模式的に示す側面図であり、（ｂ）は同メガネアタッチメントの斜視図である。
【図２】(ａ)は図１に示すメガネアタッチメントを鼻パッドに取り付ける前の状態を模式的に示す斜視図であり、(ｂ)は同メガネアタッチメントを既存のメガネの鼻パッドに取り付けた後の状態を模式的に示す斜視図である。
【図３】同メガネアタッチメントを商品化した際の一販売形態を例示したものである。
【図４】（ａ）は本発明の他の実施形態に係るメガネアタッチメントを耳掛部に適用した例を模式的に示す側面図であり、（ｂ）は同メガネアタッチメントの斜視図である。
【図５】(ａ)は図４に示すメガネアタッチメントを耳掛部に取り付ける前の状態を模式的に示す斜視図であり、(ｂ)は同メガネアタッチメントを既存のメガネの耳掛部に取り付けた後の状態を模式的に示す斜視図である。
【図６】(ａ)は本発明のさらに他の実施形態に係るメガネアタッチメントを耳掛部に適用した例を模式的に示す斜視図であり、（ｂ）は同メガネアタッチメントを既存のメガネの耳掛部に重ねて取り付けた後の状態を模式的に示す斜視図である。
【発明を実施するための形態】
【００１０】
以下に、本実施形態に係るメガネアタッチメントについて、図面を参照して説明する。なお、メガネアタッチメントが固着されたメガネ装着時を基準にして、上下左右方向等を説明する。
【００１１】
本実施形態に係るメガネアタッチメント１は、メガネ２に後付け可能としたものであって、メガネ２自体は既存のメガネを使用することができ、装着者が使い慣れたものであっても新しく購入したものであってもよい。メガネアタッチメント１は、メガネ２の一部分に固着される台座１１と、装着者の皮膚に接触して押圧するように台座１１の表面１１ａ側から突出するように設けられ、等方性高密度炭素材からなる突部１２とを備えている。
以下、詳しく説明する。
【００１２】
まず図１、図２に示すメガネアタッチメント１（１Ａ，１Ａ）について説明する。メガネアタッチメント１Ａ，１Ａは、メガネ２の一部分である一対の鼻パッド２１，２１の上に重ねて取り付けるものを示している。鼻パッド２１，２１は、装着者の鼻を両側から挟むようにして当て、メガネ２を支えるための部材である。メガネアタッチメント１Ａ，１Ａが取り付けられるメガネ２は、図２（ｂ）に示すようにレンズ２０，２０、鼻パッド２１，２１、テンプル２３，２３、リム２４，２４、ブリッジ２５、耳掛部２６，２６を備えており、図中、２７は鼻パッド２１を支持するクリングスである。また図２（ａ）の２１ａは鼻パッド２１の表面側を示しており、メガネアタッチメント１Ａを取り付けない場合は、ここに装着者の鼻が接触する。メガネアタッチメント１Ａを後付けするメガネ２としては、鼻パッド２１を有するものであれば、種々の構成のものに取り付けることができる。例えば、レンズ２０，２０を有さないメガネとしてもよいし、レンズ２０，２０を有する場合は、度入り、度なしのいずれでもよく、サングラスとしてもよい。さらに、通信機能や、動画・音楽視聴機能などを備えたメガネ型のウェアラブル端末などとしてもよい。なお、鼻パッド２１の形状は図例に限定されず、リム２４と一体的に形成されるものであってもよい。
【００１３】
図１（ａ）に示すメガネアタッチメント１Ａの台座１１の表面１１ａ側には、略半球状の突部１２が１つの台座１１に１つ形成されている。突部１２の高さ寸法（表面１１ａからの突出寸法）は、例えば、１ｍｍ〜３ｍｍ程度としてもよい。突部１２の形状や形成箇所、サイズ、個数などは、図例のものに限られず、種々の構成としてもよい。例えば、突部１２の形状を、略円錐形状としたり、略多角柱形状や略円柱形状などとしてもよい。突部１２の形成位置は、鼻パッド２１の上に重ねて取り付けられた時に皮膚を刺激して心地よいと感じる位置に形成されるのが望ましく、例えば鼻のツボを刺激するような位置に（例えば晴明等）形成するようにしてもよい。これによれば、突部１２によってツボが刺激され眼精疲労や鼻づまり改善に効果を発揮する。
【００１４】
突部１２は、等方性高密度炭素材からなり、等方性高密度炭素材とは、ＣＩＰ材（ＣＩＰとは、Ｃｏｌｄ  Ｉｓｏｓｔａｔｉｃ  Ｐｒｅｓｓ（冷間静水圧プレス）の略である）、又は等方性黒鉛とも呼ばれる。この等方性高密度炭素材は、原料をゴム製の容器に入れて、６面を等圧でプレスすることにより製造される。従って、力が均一に掛かるので、どの面も強度にバラツキが少なく、きめが細かく、他の成形方法と比べて機械的特性に優れた材料となる。
【００１５】
この等方性高密度炭素材は、具体的には、以下のようにして製造してもよい。
まず、黒鉛や竹炭などの炭化物の粒子状の炭素材料に、フェノール系接着剤、及びピッチ又はタールなどのバインダを５重量％程度加えて、弾性を有する型（例えば、ゴム製の型）に充填する。当該型は、本実施形態で言えば、突部１２の形状となる製造物を得ることのできる型である。そして、その型をシールし、圧力容器内に水没させて圧力媒体である水で加圧する。こうすることにより、炭素材料が全方向より等圧的に加圧されるので、ランダムに配向し等方性（異方比１．０〜１．１）の塊が生成される。その後、型から取り出した炭素材料の塊を、酸素を欠乏させた状態で加熱し、最終的に２０００〜３０００℃程度で焼成する。焼成の途中、フェノール成分や、ピッチ又はタールは昇温途中の約１２００℃程度で揮発するので、炭素材料は結晶化（黒鉛化）し、炭素純度が９０％以上である高密度で整った結晶構造となる。このように等方性高密度炭素材を上記工程によって製造し、この原素材に対して削り出し加工を施すことにより突部１２を製造してもよい。
【００１６】
等方性高密度炭素材は、熱伝導率が高く、外部の熱や光などの形で吸収したエネルギーにより多量の遠赤外線を放射する素材である。
従って、突部１２は人体の体温で加熱され、人体の組織と共鳴して、遠赤外線を放射するので、これにより、人体の深奥部が加熱され、血流が促進され、健康増進効果を奏する。また、このように皮膚に接触する部位を熱伝導率の高い等方性高密度炭素材で構成しているので、等方性高密度炭素材が接触した皮膚の熱が、等方性高密度炭素材へ吸収され易くなり、皮膚が冷やされ、メガネ２の装着時において清涼感をもたらすことができる。
【００１７】
メガネアタッチメント１Ａの台座１１は、略円盤状に形成されており、一般的なメガネ２の鼻パッド２１と略同形状に形成されている。メガネアタッチメント１Ａの形状は本実施形態に限定されることはなく、鼻パッド２１より小さくてもよく、また、装着の妨げや装着者にストレスを与えないのであれば、鼻パッド２１より大きくてもよい。
【００１８】
台座１１の材質は特に限定されず、ポリプロピレン等の熱可塑性樹脂に黒鉛粒子を含有させたものとしてもよい。この場合、台座１１は、ポリプロピレン等の熱可塑性樹脂３〜１０μｍ、望ましくは３〜４μｍの黒鉛粒子を２０質量％〜５０質量％含有させ、射出成型により形成してもよい。
なお、熱可塑性樹脂としては上述の他、ポリスチレン、ポリアミド、ハロゲン化ビニル樹脂、ポリアセタール、ポリエステル、ポリカーボネート、ポリアリールスルホン、ポリアリールケトン、ポリフェニレンエーテル、ポリフェニレンスルフィド、ポリアリールエーテルケトン、ポリエーテルスルホン、ポリフェニレンサルファイドスルフォン、ポリアリレート、液晶ポリエステル、フッ素樹脂等が挙げられる。これらは単独又は２種以上組み合わせて用いてもよい。  
【００１９】
また台座１１の材質は、上述の等方性高密度炭素材としてもよいが、炭素繊維強化炭素複合材料（以下、Ｃ／Ｃコンポジットという）からなるものとがするのが望ましい。これによれば、強度が高く、割れが生じにくいものとすることができるだけでなく、炭素材特有の遠赤外線放射作用を有したものとできる。
Ｃ／Ｃコンポジットとは、炭素を炭素繊維で強化したものである。その製造方法としては、例えば、炭素繊維とプラスチック（主に上述したような熱可塑性のもの）とによる繊維強化複合材である炭素繊維強化プラスチック（ＣＦＲＰ）を成形硬化後、不活性雰囲気の中で熱処理し、母材のプラスチックを炭化させて製造するようにしてもよい。なお、Ｃ／ＣコンポジットのＣ／Ｃとは、Ｃａｒｂｏｎ  Ｆｉｂｅｒ  Ｒｅｉｎｆｏｒｃｅｄ  Ｃａｒｂｏｎの略語である。
【００２０】
具体的に以下のようにしてＣ／Ｃコンポジットを製造してもよい。
まず種々の成形法にて、炭素繊維を芯材にしたフェノール樹脂成形物（ＣＦＲＰ）を製造し、それを真空中で１０００℃〜２３００℃で焼成して、フェノール樹脂の部分を炭化させる。これにより炭素繊維の周囲にフェノール樹脂が炭化してできたカーボンで囲まれた状態のものが得られる。このとき、フェノール樹脂の中の炭素以外の成分（水素、酸素など）は気化して消失するので、フェノール樹脂が炭化したカーボンの中には多数の気泡が生成されている。この気泡を埋めるべく、この焼成済みのものをフェノール樹脂液に浸し加圧含浸させ、その後、焼成炭化する。これにより、Ｃ／Ｃコンポジットが得られる。このようにして得られたＣ／Ｃコンポジットに削り出し加工を施こせば、図１等に示すメガネアタッチメント１Ａの台座１１を形成することができる。
【００２１】
またＣ／Ｃコンポジットは、炭素繊維強化プラスチックやガラス繊維強化プラスチックなどと比較して、軽量であり、強度や弾性力が高いので、台座１１とすれば、撓み・磨耗がし難いので、割れ・欠けが発生し難く、耐熱性も有する。従って、台座１１を構成する素材としてＣ／Ｃコンポジットを用いることにより、台座１１を肉薄に製造することができるとともに、製品の寿命を長くすることができる。
また、Ｃ／Ｃコンポジットは熱伝導性が高いので、接触する鼻や顔面などの部位が発する熱を吸収して放熱する作用があり、清涼感をもたらし、メガネ２の掛け心地が良好になる。さらに、Ｃ／Ｃコンポジットは導電性を有するので静電気の発生を緩和することができる。そして、炭素材であるＣ／Ｃコンポジットには、遠赤外線放射作用があるので、当該メガネ２が頭部に装着された際に、頭部に対して遠赤外線が放射され、健康増進効果がもたらされる。
【００２２】
以下に遠赤外線効果のメカニズムを述べる。
人体は、身体組成の６０％は水分、２５％は炭素であり、３６．５℃の平均体温で常に１０ミクロンの遠赤外線を放射している。従って、人体の皮膚に等方性高密度炭素材やＣ／Ｃコンポジットなどの炭素材が触れたり近づいたりすると、人体が遠赤外線を吸収して加温される。すなわち、これら炭素材と人体との間で同じ波長の遠赤外線を放射し合い、炭素材は約３６．５℃を維持する一方で身体の中では水分子が激しく衝突して、この振動が運動エネルギーとなって、熱に変換され身体が加温される。
その結果、遠赤外線が皮下組織や血管などに作用して血流が改善されるが、本発明者によれば、抹消、中枢の血流に１５％の上昇効果があることが確認されている。また、これらの炭素材は、α波を発生して、身体を癒して疲労を軽減し、健康増進に寄与すると考えられる。また既存のメガネ２の一部分にこのような炭素材を取り入れることで、ストレス（緊張・不安・抑うつ・混乱）が軽減された試験結果も得られており、ストレス社会の昨今にこのような手軽に取り付けられるメガネアタッチメント１（１Ａ）は非常に有用なものといえる。
【００２３】
台座１１のメガネ２の一部分に固着される取付面、図例では台座１１の裏面１１ｂ側には、接着層１３が設けられており、その接着層１３は、使用前まで紙製の剥離シート１４で被覆されている。よって、本実施形態におけるメガネアタッチメント１Ａによれば、剥離シート１４を剥がし、鼻パッド２１の表面２１ａに接着層１３を貼り付ければ、容易に取り付けることができる。すなわち、使い慣れたメガネ２になんら工具も技術も要することなく、メガネアタッチメント１Ａを後付けできるのである。
本実施形態の接着層１３はテープ材からなるが、接着剤でもよい。またこの接着層１３は、粘着性を有し、繰り返し貼付可能なジェル剤であってもよい。また、メガネ２への固着方法は上述に限定されることはなく、例えばメガネ２の一部に挟持して取り付ける構造であってもよい。
【００２４】
メガネアタッチメント１Ａの皮膚に接触する部位は、梨地加工により梨地状に形成されたものとしてもよい。本実施形態の場合は、突部１２と台座１１の表面１１ａ側を梨地としてもよい。梨地状とは、複数の微小な凹凸が物体の表面に形成された状態をいい、物体表面に梨地加工が施されることにより梨地が形成され、梨地状となる。メガネアタッチメント１Ａの皮膚に接触する部位１２ａが梨地状に形成されることにより、装着者の鼻に密着する面積が小さくなり、装着者にさらさらとした感触を与えることが可能となる。
梨地加工としては、砂や鉄、ガラスなどの、いわゆるメディアを、空気と混合させ、圧力を加えて物体表面にぶつけるサンドブラストや、上記メディアを水と混合させて物体表面にぶつける液体ホーニング、などの種々の方法を用いてもよい。
なお、梨地を施す部位をより皮膚に接触する突部１２のみとしてもよい。
【００２５】
またメガネアタッチメント１Ａの皮膚に接触する部位は、ダイヤモンド・ライク・カーボン（以下、ＤＬＣという）でコーティングされているものとしてもよい。ＤＬＣは主に炭素と水素で構成されており、ナノレベルの厚みであっても、硬質であり、低摩耗・高湿潤性を有する。ＤＬＣの層厚は、例えば、５ｎｍ〜１０μｍ程度としてもよい。
なお、突部１２の表面全体をＤＬＣでコーティングにしてもよく、台座１１の表面１１ａの一部または全体をＤＬＣでコーティングしてもよい。
【００２６】
図３は、メガネアタッチメント１Ａの販売形態の一例を示すものである。
矩形の紙材で形成されたシート３の一方の面には、シート３から取り外し可能な複数のメガネアタッチメント１Ａが固着されている。この矩形のシート３には、複数の切取線３１が縦横格子状に形成されており、切取線３１に沿って切り離すとひとつのシートピース３０が切り取れるように構成されている。よって、一つのシートピース３０には、メガネ２の一対の鼻パッド２１，２１に対応するメガネアタッチメント１Ａ，１Ａが貼り付けられている。
これにより、例えばメガネアタッチメント１Ａ，１Ａを購入したい購入者は、店頭でこのシート３からシートピース３０を切り取って購入すればよい。そして購入後、シートピース３０からメガネアタッチメント１Ａを取り外し、鼻パッド２１に貼り付ければよい。
なお、これは販売形態の一例であり、これに限定されることはない。
【００２７】
次に上述の実施形態とは異なる他の実施形態として、図４、図５を示しながら説明する。なお、上述の実施形態と同じ構成には同じ符号を付し、共通する点の説明は省略する。
このメガネアタッチメント１Ｂは、メガネ２のテンプル２３の先の耳掛部２６に重ねて取り付けるものである。市販されているメガネ２の耳掛部２６の形状は種々あるが、本実施形態では、耳の付け根に沿って湾曲した形状となっている。メガネアタッチメント１Ｂの台座１１は、耳掛部２６と略同一形状に形成されており、湾曲した形状となっている。略半球状の突部１２は、メガネアタッチメント１Ｂの後方下部に設けられている。台座１１、突部１２の材質は、メガネアタッチメント１Ａと同様であり、また、接着層１３、剥離シート１４も同様であるので説明を省略する。さらに皮膚に接触する部位を梨地状としてもよいこと、ＤＬＣでコーティングしてもよいことも同様であるので、説明を省略する。
【００２８】
台座１１の形状は図例に限定されず、突部１２の形成位置、形状、個数は図例に限定されることなく、例えば前方上部、中間位置等に複数設けたものとしてもよい。具体的には、耳のツボ、翳風（えいふう）を刺激するように突部１２を形成すれば、突部１２でツボを押圧することで、顔のむくみ、くすみ、耳の疾患、めまい等に効果的に作用することが期待できる。また耳のツボ、耳門を刺激するように突部１２を形成すれば、突部１２でツボを押圧することで、頭痛の緩和、眼精疲労等に効果的に作用することが期待できる。
【００２９】
図５（ａ）は、メガネアタッチメント１Ｂ，１Ｂを取り付け前のメガネ２であり、図５（ｂ）は、メガネアタッチメント１Ｂ，１Ｂを取り付け後のメガネ２である。この場合も上述の実施形態と同じように剥離シート１４を剥がし、耳掛部２６の内側に台座１１の接着層１３が対面するように配置して貼り付ければ、容易に取り付けることができる。すなわち、使い慣れたメガネ２になんら工具も技術も要することなく、メガネアタッチメント１Ｂを後付けできるのである。
図では、耳掛部２６に重ねてメガネアタッチメント１Ｂを取り付けた例を示しているが、もちろん、メガネアタッチメント１Ａ，１Ａを一対の鼻パッド２１，２１に取り付け、さらにメガネアタッチメント１Ｂ，１Ｂを取り付けて使用してもよい。
【００３０】
図６（ａ）及び図６（ｂ）は、メガネアタッチメント１Ｂの変形例としてさらにメガネアタッチメント１Ｃを示した図である。接着層１３、剥離シート１４を有していない点で上述の例とは異なるが、上述の実施形態と同じ構成には同じ符号を付し、共通する点の説明は省略する。
メガネアタッチメント１Ｃは、台座１１の上方が開口した開口部１５が形成された袋状とされた例である。台座１１は、ゴムなどの弾性材や柔軟な樹脂材により形成されており、図５（ｂ）に示すように、メガネ２の耳掛部２６に重ねて被せるようにして取り付けられるよう構成されている。もちろん台座１１を形成する素材に炭素を混入させてもよい。
メガネアタッチメント１Ｃの表面１１ａ側には、突部１２が設けられており、突部１２の構成等は、メガネアタッチメント１Ａ，１Ｂと同様であるので、説明を省略する。また皮膚に接触する部位を梨地状としてもよいこと、ＤＬＣでコーティングしてもよいことも同様であるので、説明を省略する。
この例の台座１１の形状も  図例に限定されず、例えば台座１１は、耳掛部２６の全体を覆う程の形状であってもよい。また突部１２の形成位置、形状、個数も図例に限定されることなく、例えば前方上部、中間位置等に複数設けたものとしてもよい。
【００３１】
図６（ｂ）に示すようにメガネアタッチメント１Ｃ，１Ｃは、その開口部１５にテンプル２３の先の耳掛部２６を被せるように挿入すれば、容易に取り付けることができる。ゴム等、柔軟性のある素材できたメガネアタッチメント１Ｃであれば、より一層、容易に装着できる。このようにメガネアタッチメント１Ｃも、装着者が使い慣れたメガネ２になんら工具も技術も要することなく、後付けすることができる。
【００３２】
以上、メガネアタッチメント１（１Ａ〜１Ｃ）が取り付けられるメガネ２は、図例に限定されず、レンズ２０、鼻パッド２１、テンプル２３、リム２４、ブリッジ２５、耳掛部２６等のメガネ２の各部材の形状、構成も図例に限定されるものではない。また図例のメガネ２はテンプルを折りたたむためのヒンジを省略しているが、ヒンジを有したメガネに適用可能であることはいうまでもない。さらに各記各実施形態に示したメガネアタッチメント１（１Ａ〜１Ｃ）の形状、構成も図例に限定されず、既存のメガネに対応した形状とすることができる。
【符号の説明】
【００３３】
１（１Ａ〜１Ｃ）      メガネアタッチメント
１１                  台座
１１ａ                表面
１２                  突部
１３                  接着層
２１                  鼻パッド
【図１】
2018180014.tif 000003
【図２】
2018180014.tif 000004
【図３】
2018180014.tif 000005
【図４】
2018180014.tif 000006
【図５】
2018180014.tif 000007
【図６】
2018180014.tif 000008